(57)【要約】【課題】小型化を図ることができ、ジョイント部のジョイント部収容部への取り付け作業を容易に行うことができる電気接続箱を提供する。【解決手段】電気接続箱１０は、ケース１を備えている。このケース１には、バスバ４が差し込まれるバスバ収容部２と、電線５のジョイント部６が圧入されるジョイント部収容部３と、が設けられている。バスバ収容部２は、互いの間にバスバ４を位置付ける一対の収容壁２０で構成されている。ジョイント部収容部３は、一対の収容壁２０の上端からそれぞれ延設された一対の延設壁３０で構成されている。一対の収容壁２０及び一対の延設壁３０には、バスバ４の厚み寸法の間隔をあけた小幅部２１，３１と、小幅部２１，３１よりも大きい間隔をあけた大幅部２２，３２と、が設けられている。また、ジョイント部６は、一対の延設壁３０の大幅部３２に圧入される。【選択図】図１
2012085412.tif 000002
【特許請求の範囲】
【請求項１】
金属板で構成されたバスバが差し込まれるバスバ収容部と、複数の電線の端末同士が電気接続されて形成されたジョイント部が圧入されるジョイント部収容部と、が設けられたケースを備えた電気接続箱において、
前記バスバ収容部が、互いの間に前記バスバを位置付ける一対の収容壁を備え、
前記ジョイント部収容部が、前記一対の収容壁の上端または下端からそれぞれ延設された一対の延設壁で構成されている
ことを特徴とする電気接続箱。
【請求項２】
前記一対の収容壁及び前記一対の延設壁に、前記バスバの厚み寸法の間隔をあけた小幅部と、該小幅部よりも大きい間隔をあけた大幅部と、が設けられ、
前記ジョイント部が、前記一対の延設壁の前記大幅部に圧入される
ことを特徴とする請求項１に記載の電気接続箱。
【請求項３】
前記一対の収容壁及び前記一対の延設壁に、前記大幅部が複数設けられている
ことを特徴とする請求項２に記載の電気接続箱。
【発明の詳細な説明】
【技術分野】
【０００１】
本発明は、自動車のエンジンルームなどに取り付けられる電気接続箱に関するものである。
【背景技術】
【０００２】
自動車には多種多様な電子機器が搭載されている。これら多種多様な電子機器に電力を供給するため、前記自動車には、電源と前記電子機器との間の適宜箇所に電気接続箱が配置されている。また、図３は従来の電気接続箱を示す斜視図であり、図４は図３中のＣ部の平面図である。
【０００３】
図３に示す電気接続箱２１０は、合成樹脂製のケース２０１と、このケース２０１の上面を覆う図示しないカバーなどを備えている。このケース２０１には、当該ケース２０１の外郭を構成する周壁２１１と、バスバ４が差し込まれるバスバ収容部２０２と、電線５のジョイント部６が圧入されるジョイント部収容部２０３と、各種電子部品が装着される部品装着部と、が設けられている（特許文献１を参照。）。
【０００４】
上記バスバ収容部２０２は、図４に示すように、互いの間にバスバ４の一部を位置付ける一対の収容壁２２０を備えている。
【０００５】
上記ジョイント部６は、複数の電線５の端末同士が電気接続され、これら端末部分にキャップ７が被せられて形成されたものである。
【０００６】
上記ジョイント部収容部２０３には、有底の孔部２３０が複数設けられている。また、ジョイント部６は各孔部２３０に１つずつ圧入される。また、このジョイント部収容部２０３の周囲には、前述した部品装着部やバスバ収容部２０２が設けられている。
【先行技術文献】
【特許文献】
【０００７】
【特許文献１】特開平１１−２５２７４７号公報
【発明の概要】
【発明が解決しようとする課題】
【０００８】
しかしながら、前述した従来の電気接続箱２１０においては、以下に示す問題があった。即ち、ジョイント部収容部２０３を設けることでケース２０１が大型化してしまうという問題があった。また、ジョイント部６をジョイント部収容部２０３に圧入する際は、当該ジョイント部収容部２０３の周囲の電線を掻き分けて圧入しなくてはならず、作業性が悪いという問題があった。
【０００９】
また、スペースの問題でケース２０１内にジョイント部収容部２０３を設けることができない場合は、ジョイント部６に防水加工を施して、このジョイント部６を前記カバー内に横たえるなどしていたが、この場合は、前記防水加工にコストがかかるという問題があった。
【００１０】
したがって、本発明は、小型化を図ることができ、ジョイント部のジョイント部収容部への取り付け作業を容易に行うことができる電気接続箱を提供することを目的とする。
【課題を解決するための手段】
【００１１】
上記目的を達成するために請求項１に記載された発明は、金属板で構成されたバスバが差し込まれるバスバ収容部と、複数の電線の端末同士が電気接続されて形成されたジョイント部が圧入されるジョイント部収容部と、が設けられたケースを備えた電気接続箱において、前記バスバ収容部が、互いの間に前記バスバを位置付ける一対の収容壁を備え、前記ジョイント部収容部が、前記一対の収容壁の上端または下端からそれぞれ延設された一対の延設壁で構成されていることを特徴とする電気接続箱である。
【００１２】
請求項２に記載された発明は、請求項１に記載された発明において、前記一対の収容壁及び前記一対の延設壁に、前記バスバの厚み寸法の間隔をあけた小幅部と、該小幅部よりも大きい間隔をあけた大幅部と、が設けられ、前記ジョイント部が、前記一対の延設壁の前記大幅部に圧入されることを特徴とするものである。
【００１３】
請求項３に記載された発明は、請求項２に記載された発明において、前記一対の収容壁及び前記一対の延設壁に、前記大幅部が複数設けられていることを特徴とするものである。
【発明の効果】
【００１４】
請求項１に記載された発明によれば、前記バスバ収容部が、互いの間に前記バスバを位置付ける一対の収容壁を備え、前記ジョイント部収容部が、前記一対の収容壁の上端または下端からそれぞれ延設された一対の延設壁で構成されているので、バスバ収容部の上または下の空きスペースをジョイント部収容部の設置スペースとして利用することでケースの小型化を図ることができる。また、ジョイント部収容部は、バスバ収容部から突出しており、周囲の部品や電線に埋もれることがないので、ジョイント部のジョイント部収容部への取り付け作業を容易に行うことができる。
【００１５】
請求項２に記載された発明によれば、前記一対の収容壁及び前記一対の延設壁に、前記バスバの厚み寸法の間隔をあけた小幅部と、該小幅部よりも大きい間隔をあけた大幅部と、が設けられているので、バスバを一対の収容壁の間に容易に通すことができ、バスバ収容部に容易に取り付けることができる。
【００１６】
請求項３に記載された発明によれば、前記一対の収容壁及び前記一対の延設壁に、前記大幅部が複数設けられているので、バスバを一対の収容壁の間にさらに容易に通すことができる。また、複数のジョイント部をジョイント部収容部に取り付けることができる。
【図面の簡単な説明】
【００１７】
【図１】本発明の一実施の形態にかかる電気接続箱を示す斜視図である。
【図２】図１中のＡ部の平面図である（ジョイント部の図示を省略している）。
【図３】従来の電気接続箱を示す斜視図である。
【図４】図３中のＣ部の平面図である。
【発明を実施するための形態】
【００１８】
本発明の一実施の形態にかかる電気接続箱を、図１及び図２を参照して説明する。本発明の電気接続箱は、自動車のエンジンルームに取り付けられて、前記自動車に搭載された多種多様な電子機器に電力供給及び信号伝送を行うものである。また、本明細書では、ジャンクションブロック（ジャンクションボックス）、ヒューズブロック（ヒューズボックス）、リレーブロック（リレーボックス）を、総称して電気接続箱と呼ぶ。
【００１９】
上記電気接続箱１０は、図１に示すように、合成樹脂製のケース１と、このケース１の上面を覆う図示しないカバーなどを備えている。
【００２０】
上記ケース１には、当該ケース１の外郭を構成する周壁１１と、バスバ４が差し込まれて取り付けられるバスバ収容部２と、電線５のジョイント部６が圧入されて取り付けられるジョイント部収容部３と、リレー、ヒューズ、コネクタ等の各種電子部品が装着される部品装着部と、が設けられている。
【００２１】
上記バスバ４は、金属板にプレス加工等が施されて得られる配線部材である。
【００２２】
上記ジョイント部６は、複数の電線５の端末同士が電気接続され、これら端末部分にキャップ７が被せられて形成されたものである。また、キャップ７は、熱が加えられると収縮する材料で袋状に形成されたものであり、複数の電線５の外表面に密着している。また、ジョイント部６は、略円柱状に形成されている。
【００２３】
上記バスバ収容部２は、図２に示すように、互いの間にバスバ４の一部を位置付ける一対の収容壁２０を備えている。これら一対の収容壁２０には、バスバ４の厚み寸法の間隔をあけた小幅部２１と、該小幅部２１よりも大きい間隔をあけた大幅部２２と、が設けられている。また、大幅部２２は、略円筒状に形成されている。さらに、一対の収容壁２０には、大幅部２２が２つ設けられており、小幅部２１と大幅部２２とが交互に設けられている。また、図１中の一点鎖線Ｂは、一対の収容壁２０の上端を表している。
【００２４】
上記ジョイント部収容部３は、一対の収容壁２０の上端からそれぞれ延設された一対の延設壁３０で構成されている。これら一対の延設壁３０には、バスバ４の厚み寸法の間隔をあけた小幅部３１と、該小幅部３１よりも大きい間隔をあけた大幅部３２と、が設けられている。また、大幅部３２は、略円筒状に形成されている。さらに、一対の延設壁３０には、大幅部３２が２つ設けられており、小幅部３１と大幅部３２とが交互に設けられている。また、ジョイント部６は、一対の延設壁３０の大幅部３２に圧入される。
【００２５】
また、一対の延設壁３０の小幅部３１は、一対の収容壁２０の小幅部２１の上端から連続している。また、一対の延設壁３０の大幅部３２は、一対の収容壁２０の大幅部２２の上端から連続している。即ち、図２に示すように、一対の延設壁３０は、一対の収容壁２０と断面形状が等しい。このことにより、ケース１の製造金型を単純化することができる。また、図２においては、ジョイント部６の図示を省略している。
【００２６】
続いて、上述した電気接続箱１０の組み立て方法を説明する。
【００２７】
まず、バスバ４の一部を一対の延設壁３０の間及び一対の収容壁２０の間に通してバスバ収容部２に取り付ける。また、本発明では、一対の収容壁２０及び一対の延設壁３０に、大幅部２２，３２が複数設けられているので、バスバ４を一対の延設壁３０の間及び一対の収容壁２０の間に容易に通すことができ、バスバ収容部２に容易に取り付けることができる。
【００２８】
次に、リレー、ヒューズ、コネクタ等の各種電子部品を前記部品装着部に装着する。そして、ジョイント部６を大幅部３２に圧入してジョイント部収容部３に取り付ける。また、本発明では、ジョイント部収容部３がバスバ収容部２から突出しており、周囲の部品や電線に埋もれることがないので、ジョイント部６のジョイント部収容部３への取り付け作業を容易に行うことができる。
【００２９】
最後に、前記カバーをケース１の上面に取り付ける。こうして電気接続箱１０が組立てられる。
【００３０】
このように、本発明によれば、バスバ収容部２の上の空きスペースをジョイント部収容部３の設置スペースとして利用することで、ケース１の小型化を図ることができ、また、ジョイント部６のジョイント部収容部３への取り付け作業を容易に行うことができる。
【００３１】
また、上述した実施形態では、一対の延設壁３０が、一対の収容壁２０の上端からそれぞれ延設されていたが、本発明では、前記一対の延設壁が、前記一対の収容壁の下端からそれぞれ延設されていても良い。また、二対の延設壁（即ち２つのジョイント部収容部）が、前記一対の収容壁の上端及び下端からそれぞれ延設されていても良い。
【００３２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３３】
１  ケース
２  バスバ収容部
３  ジョイント部収容部
４  バスバ
５  電線
６  ジョイント部
１０  電気接続箱
２０  収容壁
２１，３１  小幅部
２２，３２  大幅部
３０  延設壁
【図１】
2012085412.tif 000003
【図２】
2012085412.tif 000004
【図３】
2012085412.tif 000005
【図４】
2012085412.tif 000006